(57)【要約】【解決課題】スロットマシンにおける模様替えを容易且つ迅速に行えるようにすること。【解決手段】本体枠（１）の左右側壁面（４７，４７）の高さの途中に相対向状に支持レール材（４６，４６）を付設し、一方ドラムユニット（５）には左右に滑合部材（４５，４５）を備えて該滑合部材（４５，４５）を前記支持レール材（４６，４６）に滑合支持させて前記ドラムユニット（５）を前記本体枠（１）の内部に支持収容すると共に、前記支持レール材（４６，４６）を案内にドラムユニット（５）を出し入れ自由にする。【選択図】　　　　　図４
2004105291.tif 000002
【特許請求の範囲】
【請求項１】
本体枠と本体枠の上部空間部に収容されるドラムユニットと、本体枠の下部空間部に収容されるホッパー装置と、本体枠の前面開口部を塞ぎ前記ドラムユニットとホッパー装置を被う前扉とを有してなるスロットマシンにおいて、
前記本体枠の左右側壁面の高さの途中に２本の支持レール材を相対向する如く水平状に付設し、他方前記ドラムユニットの両側部には滑合部材を備えて該滑合部材を前記支持レール材に滑合支持させて前記ドラムユニットを前記本体枠の上部空間部に収めると共に、前記支持レール材を誘導手段にして前記ドラムユニットを前記本体枠に出入れ可能にしてなることを特徴としたスロットマシン。
【請求項２】
支持レール材は断面Ｌ字形の長尺材にしてその一片を側壁面に対する取付片とし、他片を滑合部材を受ける支持片とすることを特徴とした請求項１に記載のスロットマシン。
【請求項３】
少なくとも一方のレール材の支持片は広幅にして滑合部材との滑合位置の横方向の移動変更を可能にしてなることを特徴とした請求項１又は２に記載のスロットマシン。
【請求項４】
少なくとも一方のレール材の支持片の端縁には上向きの滑合部材落下防止用の縁片を設けてなることを特徴とした請求項１乃至３に記載のスロットマシン。
【請求項５】
支持レール材は断面チャンネル形をなす長尺材であることを特徴とした請求項１に記載のスロットマシン。
【請求項６】
滑合部材は棒状部材であることを特徴とした請求項１乃至４に記載のスロットマシン。
【請求項７】
滑合部材はローラーであることを特徴とした請求項１乃至４に記載のスロットマシン。
【請求項８】
支持レール材と該支持レール材に支持される滑合部材との間にはスペーサーを介挿し、滑合部材の移動を拘束するようにしてなることを特徴とした請求項１乃至６に記載のスロットマシン。
【発明の詳細な説明】
【０００１】
【発明の属する技術分野】
本発明は、スロットマシンに関するもので、更に詳しくはスロットマシンの本体枠と、この本体枠内部に装備される複数のドラムを備えてなるドラムユニットとの取付けに関するものである。
【０００２】
【従来の技術】
スロットマシンは主要構造物として箱形をなす本体枠と、３個の回転ドラムを連装してなるドラムユニットと、メダルを貯留し払い出すホッパー装置と、前記本体枠の前面を塞ぎドラムユニットとホッパー装置を被う開閉自由に取付けられる前扉とを備えている。
【０００３】
そして、本体枠には上部空間部にドラムユニットを、下部空間部にホッパー装置をそれぞれ収容するようにして前扉の上部位置に開設する窓を通して前記回転ドラムの周面が覗けるようにしてあり、またゲームの「当り」によってホッパー装置からメダルが放出されたとき、これを前扉の前面下部に備えるメダル受皿に受けるようにしてある。
【０００４】
この様にしてなるスロットマシンにおいて遊技場における模様替えの場合、従来はスロットマシンそのものを一台毎そっくり入れ替え、模様替えしていた。
しかし、スロットマシンの入れ替えによる模様替えは構造物の中でも使用上全く不都合のないものも廃棄することになり極めて不経済であると共に、廃棄部分を増大させることに伴って環境の悪化にも繋がることから、近時スロットマシンの構造部分の一部を外し交換することで全体の外観を変更させたり、遊技機能の変更をして一新することが提案されている。
【０００５】
その一つは、外枠２（本体枠）と前枠８（前扉）の中間に中枠７を備え、この中枠にリールユニット３６（ドラムユニット）を取り付けて構成し、外枠２に対して上記中枠７を着脱自由にすることによってリールユニット３６を交換する例である（例えば、特許文献１を参照）。
【０００６】
またその外に、木製の枠体５に開閉自由に蝶着する前面扉体６の開口部２６に図柄回動ユニット１２（ドラムユニット）を備える装着ユニット２５を組付けることによって、この装着ユニットを外し交換できるようにした例がある（例えば、特許文献２を参照）。
【０００７】
またその他の例として、本体箱２０（本体枠）の前面にヒンジ装置３０を介して蝶着する前扉４０にリール装置１１０（ドラムユニット）を直接に取付け、必要ある場合、前記ヒンジ装置を分解することで前扉４０と共にリール装置１１０を本体箱２０から外し交換できるようにした例がある（例えば、特許文献３を参照）。
【０００８】
【特許文献１】
特許第２５６２３３０号公報　第２頁左欄第１０行目〜第２０行目。図面第１図、第６図。
【特許文献２】
特許第３１２６８１２号公報　第２頁左欄第１９行目〜第２４行目、同頁右欄第１１行目〜第２８行目及び図面の図１、図２。
【特許文献３】
特開平１０ー５２５２５号公報　第２頁右欄第３１行目〜第３５行目、第６頁右欄第２２行目〜第２８行目及び図面の図１、図４。
【０００９】
しかし、前記第１の例（特許文献１の例）の中枠７にはリールユニット３６の外に多数の諸設備を同居させるものとなっていて必要部分のみの交換ができないものであり、リールユニット、即ちドラムユニットを手際よく交換するには不充分である。
【００１０】
また、第２の例（特許文献２の例）は装着ユニット２５を介して図柄回動ユニット１２の重量を全て前面扉体６に負担させる構造とすることから構造的に無理があり、前面扉体に歪みを生ずる問題、ドラムと扉体が直結することによってドラムの回転運動が扉体に伝わり、また逆に扉体を叩く等したときのショックがドラムに伝わる等の問題がある。
またこれと同一のことは前記第３の例（特許文献３の例）の場合についても言えることである。
【００１１】
【発明が解決しようとする課題】
本発明は、上述した実情に鑑みその改善を目的として開発されたもので、スロットマシンにおいて遊技を構成する中心の装置である回転ドラムを手際よく本体枠に組付け、また取り外せるようにして例えば模様替えを行う場合には簡単に脱着交換できるようにしたスロットマシンを提供しようとするものである。
【００１２】
そして本発明は、上記脱着交換の容易性に加えて、本体枠に装着した状態において安定性があり、例えば外部からの衝撃を受けた場合にも直接その衝撃を受けることのないようにしたスロットマシンを提供しようとするものである。
【００１３】
また更に、本発明は回転ドラムの交換時のみならず、保守点検の際にも着脱の機能を発揮できるようにして作業性の向上を図ると共に、本体枠に対する取付手段を簡略化して空間の有効利用を容易にしたスロットマシンを提供することにある。
【００１４】
【課題を解決するための手段】
本発明は、上述したような目的を達成するため本体枠と回転ドラムを連装するドラムユニットとの取付関係を改善したものであり、特に本発明はレール手段、つまり支持レール材を活用して本体枠とドラムユニットとを関係付け、使用時におけるドラムユニットの支持固定と、組付時或は取り出し時の移動誘導をこの支持レール材によって行い、作業の容易化、迅速化を図ると共に安定化を図るようにしたことにある。
【００１５】
本発明を更に具体的に説明すると、本発明は本体枠と本体枠の上部空間部に収容されるドラムユニットと、本体枠の下部空間部に収容されるホッパー装置と、本体枠の前面開口部を塞ぎ前記ドラムユニットとホッパー装置を被う前扉とを有してなるスロットマシンにおいて、前記本体枠の左右側壁面の高さの途中に２本の支持レール材を相対向する如く水平状に付設し、他方前記ドラムユニットの両側部には滑合部材を備えて該滑合部材を前記支持レール材に滑合支持させて前記ドラムユニットを前記本体枠の上部空間部に収めると共に、前記支持レール材を誘導手段にして前記ドラムユニットを前記本体枠に出入れ可能にしてなることを特徴としたスロットマシンを提供することにある。
【００１６】
また本発明は、前記支持レール材は断面Ｌ字形の長尺材にしてその一片を側壁面に対する取付片とし、他片を滑合部材を受ける支持片とすること、また前記少なくとも一方のレール材の支持片は広幅にして滑合部材との滑合位置の横方向の移動変更を可能にしてなるスロットマシンを提供することにある。
【００１７】
また本発明は、前記少なくとも一方のレール材の支持片の端縁に上向きの滑合部材落下防止用の縁片を設けてなることを特徴としたスロットマシンを提供することにある。
【００１８】
また本発明は、前記支持レール材は断面チャンネル形をなす長尺材であることを特徴としたスロットマシンを提供することにある。
【００１９】
また本発明は、前記滑合部材は棒状部材であるか、若しくは回転するローラーであることを特徴としたスロットマシンを提供することにある。
【００２０】
また更に本発明は、前記支持レール材と該支持レール材に支持される滑合部材との間にスペーサーを介挿し、滑合部材の移動を拘束するようにしてなることを特徴としたスロットマシンを提供することにある。
【００２１】
【発明の実施の形態】
次に、本発明の特徴とするところを図面に示す実施例について詳述し、その他の特徴につき併せて説明することにする。
【００２２】
【実施例１】
図１乃至図６は本発明に係るスロットマシンの第１の実施例を示す。図１は斜視図であり、図２は前扉を開放した状態の斜視図、図３は本体枠からドラムユニットを取り出した状態の斜視図であり、図４はドラムユニットの収まり状態を説明する概略の拡大縦断右側面図、図５は本体枠、ドラムユニット、前扉を分解した状態の拡大縦断右側面図である。
【００２３】
本体枠１は前面を開放した縦長の箱形に形成してあり、その開口部２の左側縁部にヒンジ装置３を介して前扉４を蝶着し、内部にドラムユニット５とホッパー装置６を収める。
【００２４】
前扉４は上半部の中央部分に大型の窓７を開口させ、その上部の前面部に上部ランプケース８を設けて背面からランプ基板９を臨ませ取付けてあり、また、前面の中央部に略全幅に亘るように操作台１０を突き出して設け、この操作台の上面左側にメダル投入個数を設定する３個のボタン１１を、また右側にメダル投入口１２を設けてある。
【００２５】
一方、操作台の前面にはスタートレバー１３を配置し、中央部には後述する回転ドラムを停止させるためのストップボタン１４ａ，１４ｂ，１４ｃを設けてその右側にクレジットモード設定ボタン１５、詰りメダルの解除ボタン１６を設けている。
【００２６】
図中１７は前記操作台１０の下方前面部に着脱自由に添設した固定表示板で、この表示板１７の下方に放出されるメダルを受ける受け皿１８を突き出し状に設け、受け皿１８の上方にホッパー装置６から放出されるメダルをこの受け皿に排出する排出口１９が設けてある。
【００２７】
そして、前扉の背面側には前記メダル投入口１２から投入されたメダルを選別するセレクター２０が斜めに配置してあり、前扉４が閉塞されたときホッパー装置６の貯留タンク部６ａに臨んで投入されたメダルがこのセレクター２０を通してホッパー装置に送られるようにしてある。
【００２８】
上記セレクター２０の下方に前記排出口１９の後部が突出し、ホッパー装置の放出口２１と連通するようにしてあり、隅部には効果音を発するスピーカー２２が設けてある。そして、前扉４の自由端縁には後向きにロック装置の係止片２３が突き出し、本体枠の左側壁面に相対応して設ける係止部２４に掛け止め施錠できるようにしてある。尚、前扉４の前面側には上記ロック装置を解錠操作するための鍵を差し入れるための鍵穴２３ａが設けてある。
【００２９】
一方、ドラムユニット５は基板２５から門形の支持フレーム２６を起立させ、このフレームの中を略三分割する如く図示しない２つの支持板を立設して３個の回転ドラム２７ａ，２７ｂ，２７ｃを収めるドラム収容室を隣り合せに形成し、個々の収容室に臨む上記支持板若しくは支持フレームの起立板部にそれぞれの回転ドラムを個別に駆動するモータを固定してその回転軸に各回転ドラムを軸装してこれらが個別に回転し、停止できるようにしてある。
【００３０】
そして、ここでは回転ドラムを取り囲むように基板２５からフレーム２８を立ち上げ、左右後方の支柱の上部間に遊技制御基板２９を取り付けると共に、フレーム上部の前端と、基板２５の前端との間に渡り、回転ドラムの前方を塞ぐように表示パネル３０を装着してある。
【００３１】
表示パネル３０は中央部を開放して矩形の額縁形に形成されるランプケース３１の前面に張り付いて一体にしてある。この表示パネル３０は透明なガラス板若しくはアクリル板を素材にして形成し、前記ランプケース３１に臨む周縁部分毎に着色して半透明とし、ランプケースの前面を被うようにしてある。そして、中央部分は透明のまゝにしてここに回転ドラムが臨む透視窓３２を形成している。
【００３２】
この実施例ではランプケース３１の上縁部分に対応する表示パネル３０の上部には左からクレジットメダル数表示部３３、大当りラウンド表示部３４、メダル払出数表示部３５を設け、左方には縦列に５個の遊技状態報知部３６を、更に前記透視窓３２の両側を挟むように左右対称状に各５個の当りライン表示部３７・・・、３８・・・を設け、また下部には透視窓３２から覗かれる回転ドラムに各対応させて３個のドラムの回転を表示する表示部３９が設けてある。
【００３３】
これらの各表示部は着色を変えたり、濃淡を変えたりして変化を付け、表示する内容を一見して識別できるようにしてあり、且つそれぞれはランプケース３１の背面に添わせるランプ基板４０，４１に各装着する個々のランプ４２，４３，及び７セグメント表示器４４を点灯することによって一層明瞭に表示するものにしてある。
【００３４】
上記ランプケース３１は、隣り合って設けるランプの光を遮断し、且つ漏れなく前方を照らすためにあり、ここではプラスチックを材料にして一体に形成してある。そして、前面側の周縁部にはリブ状の突片３１ａを全縁部に亘って形成し、表示パネル３０をこの突片の内側に嵌め入れ固定すると共に、この突き出した突片３１ａを前記前扉４に形成する窓７の背面側周縁部に設ける溝形の嵌合部７ａに突き入れて図４に示したように嵌め合せることによって密着させてあり、これにより隙間を通しての不正行為を防止するようにしてある。
【００３５】
一方、図中４５は前記基板２５の左右の側縁部に側方に突き出る如く設けた前後２個のローラーからなる滑合部材である。そして、４６はこの滑合部材４５を受けるため本体枠１の左右の側壁４７，４７の内面部に相対向する如くそれぞれ水平に付設した支持レール材である。
【００３６】
滑合部材であるローラー４５は、図６に示したようにこの実施例では基板２５の両縁部から折り曲げ垂設する受部４８，４８に支軸４９を軸着して回転自由に取付けてある。
一方、支持レール材４６は金属帯板を断面Ｌ字形に屈曲成形してその一片を取付片４６ａとし、これをビス５０によって前記側壁４７に固着し、他方の支持片４６ｂとなる一片を水平に保持してこれに前記ローラー４５を受けるようにしてある。
【００３７】
図面において明らかな通り、ドラムユニット５の基板２５は両側壁４７，４７に各付設する支持レール材４６，４６に左右のローラー４５，４５を架け渡すことができる幅に形成するが、更にここでは前記支持レール材の支持片４６ｂを広幅に形成して余裕を以ってローラー４５，４５を受けられるようにしてあり、両ローラーを滑合したときローラー４５と支持片４６ｂの内側の縁部との間に間隔５１が確保できるようにしてある。
【００３８】
この間隔５１はドラムユニットの基板２５の幅員に対して本体枠１の両側壁４７，４７間に製造上起こる間隔の誤差を吸収するためのものである。
両支持レール材４６，４６に左右のローラー４５，４５を滑合させ支持させた後、一方のローラー４５と側壁４７との間に上記間隔５１を埋める一定幅員のスペーサー５２を介挿し、ピン５３でこれを支持片４６ｂに固定してドラムユニット５を定位置に固定する。
【００３９】
図中、５４は前記支持レール材の支持片４６ｂの端縁から立ち上げた縁片である。この片５４は滑合部材たるローラー４５の落下を防止するのと同時に、ここでは前記スペーサー５２の固定において、このスペーサーと共同してローラー４５を狭持し、任意の移動を拘束し、併せて一定位置に固定するものとなる。この定位置での固定は前記前扉４を閉塞したとき表示パネルのランプケースの突片３１ａと窓７の嵌合部７ａとの嵌め合せが円滑、且つ正確に行えることになるため有利である。
【００４０】
尚、支持レール材４６は側壁４７の内側面に沿って開口部２から背面壁５５に至る全幅に亘って付設し、ドラムユニットの基板２５の両側部に前後２個宛設けられる２つのローラー４５を略前端と後端の２ヶ所で受け、安定した状態で支持するようにしてある。
【００４１】
上記構成に係る本発明スロットマシンは本体枠１と前扉４、ドラムユニット５、そしてホッパー装置６を個別に形成し、その後組合せて完成させるが、本体枠については予め支持レール材４６を側壁４７の内側面に前述した如く止着し、また一方の側壁４７には外部中継端子基板５６を取付け、他方の側壁４７には電源基板５７を取付けると共に、底板５８上にホッパー装置６を載置してこれを収容する。
【００４２】
ドラムユニット５は本体枠１に対する諸部材を前述の如く装備したのち開口部２を通して持ち込む。そして、左右のローラー４５をそれぞれの支持レール材４６に滑合させ、その後このレール材を案内に押し込んで収容を行う。そして、収まり位置に達したとき、前述したスペーサー５２をレール材に添えてビス止めし、前後のローラーの移動を拘束し、これによって定位置にセットする。
勿論、支持レール材に対するドラムユニット５の固定は相互の間にロック装置を配置して掛け止め固定しても、また簡単には支持レール材の定位置に小突起部を設けてドラムユニットを最終位置に押し込んだときこれに後方のローラー４５を乗り上げ係止させてもよく、１つの方法に限定されない。
【００４３】
この取付け作業に先立って遊技制御基板２９と、ここではドラムユニット５のフレーム２６上面に備えるドラム装置中継基板５９、及びランプケース３１に臨むそれぞれのランプ基板４０，４１とを接続しておき、ドラムユニットの持込み作業の終了後上記遊技制御板２９と電源基板５７との接続を行う。
【００４４】
前扉４は上記の作業ののち本体枠１と分割して取り付けておいたヒンジ装置３のヒンジ片相互の組合せによって連結し、本体枠１の前面に開閉自由に蝶着することになる。尚、図示しないが、上記ヒンジ装置３は回転支軸を介してのヒンジ片の着脱組合せによって分割し、又組合せられる構造のものにして本体枠１に対する前扉４の着脱ができるようにしてある。
【００４５】
前扉４を閉じた状態の本発明スロットマシンはドラムユニット５の前面部に取付けた表示パネル３０を図４に示した如く前扉４の窓７に臨ませ、併せてランプケース３１の周縁部に形成した突片３１ａを窓７の嵌合部７ａに嵌め入れ一体に結合し、開放した窓７をこの表示パネル３０によって密閉することになる。この密閉状態は前述した通り防犯機能を合せもつものとなる。
【００４６】
ドラムユニット５はスペーサー５２をローラー４５に添えることで前述したように移動を拘束することになるが、併せてこの前扉４の閉塞によって本体枠内部に閉じ込められ、更に安定した固定がなされることになる。
【００４７】
【実施例２】
図７は前記ドラムユニット５を支持する滑合部材４５をローラーに代えて駒形の滑合突起材５９とした他の実施例である。この滑合突起材５９はナイロンやポリアセタールの如く滑性のある合成樹脂を素材にして成形し、上面に設ける突部５９ａを基板２５に開設する透孔に突き入れて係止する構造にしてある。
【００４８】
滑合突起材５９はローラーの場合と同様に基板２５の両側縁部に前後２ヶ所設けるようにしてそれぞれ支持レール材４６に滑合載置してドラムユニット５を支えるようにしてあり、支持レール材４５に対しては前記ローラーの場合と同様に前方から滑らせて載置することになる。
【００４９】
そして、この場合も同様に押し込みを完了したところでスペーサー５２を側壁４７と突起材５９との間に介挿してレール材４６の上面を横移動し、或は前後に移動するのを防止する。
上記スペーサー５２については支持レー材に沿って長尺なものであっても、また滑合突起材５９に対応する部分にのみ介挿される短尺なものであってもよい。また併せてスペーサー５２はピン５３によって止着しなくとも割込ませによって摩擦力により止着するようにしてもよい。
【００５０】
尚、前記滑合突起材５９については駒形のものの他に、丸棒状のものにして基板２５の下面に前後方向に向けて止着し、これをレール材の支持片４６ｂ上に添わせ滑合させる構造のものであってもよい。
【００５１】
【実施例３】
図８に示す実施例は左右の支持レール材６０，６１を断面チャンネル形に成形し、ドラムユニット５の基板２５に設ける滑合部材たるローラー４５を中空の内部に滑合させて前後方向に案内移動させ、本体枠１に対してドラムユニット５を出し入れ自由に支持するようにした例である。
【００５２】
図示するように左方の支持レール材６０は滑合するローラー４５を漸く受け入れる幅のチャンネル形断面に形成し、右方の支持レール材６１はこれより広幅にしてローラー４５の左右への移動が可能となるようにしてある。
【００５３】
この両者の横巾の相違は、左方の支持レール材６０によって本体枠１に対するドラムユニット５の取付位置を確定し、左右の幅に余裕のある右方の支持レール材６１によって本体枠の左右の側壁４７，４７の間隔の誤差を吸収し、常に適正な状態でローラー４５，４５の滑合を確保するためなされたもので、ドラムユニット５は左方の支持レール材６０によって位置決めされ、前述した前扉４の嵌合部７ａと表示バネル３０の周縁部の突片３１ａとの嵌め合せもこれによってリードされることになる。
【００５４】
勿論、ここに示す支持レール材６０，６１は奥行方向に側壁４７の全巾に亘って長さを有し、ローラー４５を案内し、支持できるようにしてあり、ドラムユニット５の収容，引き出しの際は支持レール材の前端の開口部を通してローラーを差し入れ、抜き出すことになる。
【００５５】
【発明の効果】
以上本発明を各実施例につき個別に、且つ具体的に説明したが、前記構成によって明らかな通り、ドラムユニット５を本体枠１に対して支持レール材４６と滑合部材４５の組合せによって差し入れによる収容と、引き出しによる抜き取りが自由に行えるようにしたことから、脱着作業が容易であり、従ってドラムユニット５を交換する際極めて迅速に、且つ正確に行える利点がある。
【００５６】
そして、ドラムユニット５にはフレームを介して表示パネル３０を備えることから、回転ドラム２７ａ，２７ｂ，２７ｃの交換ばかりでなくこれに組まれるゲーム設定の各種の表示手段を合せ交換することができ、従ってゲームの内容と共に主要な外観形成部分を入れ替えてスロットマシンの模様替えを迅速に且つ的確に行うことができる。
【００５７】
また本発明は本体枠１に対するドラムユニット５の支持を支持レール材を介して行うことから、ドラムユニットを外したとき本体枠内部に棚等の障害物が無くなるため配線処理作業や保守点検作業が容易に行える利点がある。
【図面の簡単な説明】
【図１】本発明に係るスロットマシンの斜視図。
【図２】前扉を開放した状態の斜視図。
【図３】前扉を開放しドラムユニットを引き出した状態を示す分解斜視図。
【図４】拡大縦断右側面図。
【図５】分解した状態の拡大縦断面図。
【図６】本体枠とドラムユニットとの関係を説明する部分の拡大正面図。
【図７】第２の実施例における本体枠とドラムユニットとの関係を説明する部分の拡大正面図。
【図８】第３の実施例における本体枠とドラムユニットとの関係を説明する部分の拡大正面図である。
【符号の説明】
１　　　　　　　　　本体枠
２　　　　　　　　　本体枠の開口部
３　　　　　　　　　ヒンジ装置
４　　　　　　　　　前扉
５　　　　　　　　　ドラムユニット
６　　　　　　　　　ホッパー装置
７　　　　　　　　　窓
７ａ　　　　　　　　嵌合部
２５　　　　　　　　ドラムユニットの基板
３０　　　　　　　　表示パネル
３１　　　　　　　　ランプケース
３１ａ　　　　　　　突片
３２　　　　　　　　透視窓
４５，５９　　　　　滑合部材
４６，６０，６１　　支持レール材
４６ａ　　　　　　　取付片
４６ｂ　　　　　　　支持片
４７　　　　　　　　本体枠の側壁
５２　　　　　　　　スペーサー
５４　　　　　　　　縁片
【図１】
2004105291.tif 000003
【図２】
2004105291.tif 000004
【図３】
2004105291.tif 000005
【図４】
2004105291.tif 000006
【図５】
2004105291.tif 000007
【図６】
2004105291.tif 000008
【図７】
2004105291.tif 000009
【図８】
2004105291.tif 000010